(57)【要約】【課題】  筒状の輪を備えた従来の差立て収納器具においては、弾発力のある筒状の輪のみが内側方向に凹み変形し、弾発力のない囲み板は外側に拡開しない構造になっている。そのため、差立て物を差込みスペースいっぱいに差し立てした際に、差立て物同士の隙間が密着状態となり、任意の隙間を大きく分け開いて抜き差しすることや、任意のページを見開きで見ることなどができない問題がある。また、筒状の輪が塑性変形を生じてしまう問題がある。【解決手段】  弾発力のある筒状の輪と、筒状の輪の両脇を囲む弾発力のある外周面囲み板と、筒状の輪を載置し固定する底板とから成り、筒状の輪の両脇の差込み隙間に差立てした差立て物の厚さによる押圧および差立て物の押圧または拡開により、筒状の輪が内側方向に凹み変形すると共に、外周面囲み板が外開きに拡開する物品類の差立て収納器具を提供する。【選択図】図６
2014104754.tif 000002
【特許請求の範囲】
【請求項１】
書類およびシート状物類を差立て収納する収納器具であって、弾発力のある部材を円形断面の筒状に形成した筒状の輪（１）と、該筒状の輪（１）の外周面の両脇を囲む弾発力のある外周面囲み板（２ａ，２ｂ）と、前記筒状の輪（１）を載置し固定する底板（３）とから成り、前記筒状の輪（１）の外周面と前記外周面囲み板（２ａ，２ｂ）との間の差込み隙間（Ｓ）に差立てした差立て物の厚さによる押圧および差立て物の押圧または拡開により、弾発力のある前記筒状の輪（１）が輪の縦中心軸方向に凹み変形すること、および弾発力のある前記外周面囲み板（２ａ，２ｂ）が弾性により拡開することを特徴とする物品類の差立て収納器具。
【請求項２】
前記外周面囲み板（２ａ，２ｂ）が拡開する際の左右の異なるモーメント作用による倒れを抑えるための倒れ止め（５）を前記外周面囲み板（２ａ，２ｂ）または前記底板（３）の外側に張出すように設けたことを特徴とする請求項１記載の物品類の差立て収納器具。
【請求項３】
前記外周面囲み板（２ａ，２ｂ）の両端部の少なくともいずれかの一方に、前記筒状の輪（１）の円形断面側と向い合う端面囲み板（４）を設けたことを特徴とする請求項１又は２記載の物品類の差立て収納器具。
【請求項４】
前記端面囲み板（４）の少なくともいずれかの一方に、端面開口の機能および補強リブの機能をもつ端面開口部（Ｋ１）を形成したことを特徴とする請求項３記載の物品類の差立て収納器具。
【発明の詳細な説明】
【発明の詳細な説明】
【技術分野】
【０００１】  筒状の輪が内方向に凹み変形すると共に囲み板が外方向に拡開する差立て収納器具に関する。
【背景技術】
【０００２】  弾発力のある筒状の輪を備えた従来の差立て収納器具においては、弾発力のある筒状の輪のみが内側方向に凹み変形し、筒状の輪の両脇を囲む囲み板については弾発力をもっていないので外側に拡開できない構造になっている。そのため、例えば図９（Ｃ）に示すように、差込みスペースいっぱいに差し立てした際に、差立て物同士の隙間が密着状態となり任意の隙間を開いて書類等を差し込むことや、抜き取りすることや、任意のページを見開きで見ることなどができないものになっている。また、筒状の輪が塑性変形を生じてしまうものになっている。また、書類等を差込みスペースに差し立てした際に、左右の異なるモーメント作用により倒れを生じてしまうものになっている。【０００３】
【特許文献１】  意匠登録第１３６８２１５号
【特許文献２】  特許第４３４８６４９号
【発明の開示】
【発明が解決しようとする課題】
【０００４】  囲み板に弾発力を備えて、弾発力のある囲み板が外側に拡開することができるようにする。そして、差立てした差立て物の押圧により、弾発力のある筒状の輪が内方向に凹むと共に、弾発力のある囲み板が外側に拡開することによって、差立て物を筒状の輪の両脇の差込み隙間いっぱいに差し立てした際においても、差立て物の任意の隙間を分け開いて、書類等を差し込むことや、抜き取りすることや、任意のページを見開きで見ることなどが容易にできるようにする。【０００５】  また、弾発力のある囲み板が外開きに拡開することにより、筒状の輪の塑性変形が生じないようにする。また、倒れ止めを囲み板の外側に張出すように設けて、弾発力のある囲み板が外開きに拡開することにより生じる左右の異なるモーメント作用による倒れを抑えるようにする。
【課題を解決するための手段】
【０００６】  書類およびシート状物類を差立て収納する収納器具であって、弾発力のある部材を円形断面の筒状に形成した筒状の輪１と、該筒状の輪１の外周面の両脇を囲む弾発力のある外周面囲み板２ａ，２ｂと、前記筒状の輪１を載置し固定する底板３とから成り、前記筒状の輪１の外周面と前記外周面囲み板２ａ，２ｂとの間の差込み隙間Ｓに差立てした差立て物の厚さによる押圧および差立て物の押圧または拡開により、弾発力のある前記筒状の輪１が輪の縦中心軸方向に凹み変形すること、および弾発力のある前記外周面囲み板２ａ，２ｂが弾性により拡開することを特徴とする物品類の差立て収納器具を提供する。【０００７】  前記外周面囲み板（２ａ，２ｂ）が拡開する際の左右の異なるモーメント作用による倒れを抑えるための倒れ止め（５）を前記外周面囲み板（２ａ，２ｂ）または前記底板（３）の外側に張出すように設けたことを特徴とする請求項１記載の物品類の差立て収納器具を提供する。【０００８】  前記外周面囲み板２ａ，２ｂの両端部の少なくともいずれかの一方に、前記筒状の輪１の円形断面側と向い合う端面囲み板４を設けたことを特徴とする請求項１又は２記載の物品類の差立て収納器を提供する具。【０００９】  前記端面囲み板４の少なくともいずれかの一方に、端面開口の機能および補強リブの機能をもつ端面開口部Ｋ１を形成したことを特徴とする請求項３記載の物品類の差立て収納器具を提供する。
【発明の効果】
【００１０】  本発明の物品類の差立て収納器具においては、例えば図５に示すように、差立てした差立て物の厚さによる押圧により、弾発力のある筒状の輪１が自動的に内方向に凹むと共に、弾発力のある外周面囲み板２ａ，２ｂが弾性により自動的に外側に拡開することにより、書類やシート状物類を容易に差し込むことや、抜き取りすることや、任意のページを見開きの状態で見ることなどが容易にできる。【００１１】  また、例えば図６に示すように、任意の隙間を逆ハの字形状に手先で大きく分け開くことによって、差立て物Ａを差込み隙間Ｓいっぱいに差し立てした際においても、書類等を差し込むことや、抜き取りすることや、任意のページを見開きの状態で見ることなどが容易にできる。【００１２】  また、例えば図７に示すように、差立て物Ａを差込み隙間Ｓいっぱいに差し立てした際においても、図６の状態から、筒状の輪１の中間部の膨らみ部を更に内側方向に逆瓢箪形断面状に凹ませると共に、両脇の外周面囲み板２ａ，２ｂの上方を更に外側に逆ハの字形状に大きく拡開することにより、筒状の輪１の塑性変形を生じることなく、差立て物Ａを差込みスペースＳいっぱいに差し立てしたうえに更に差し増しすることができる。【００１３】  また、差立て物Ａを差込み隙間Ｓいっぱいに差し立てした際においても、両脇の外周面囲み板２ａ，２ｂが外開きに拡開することにより、筒状の輪１の塑性変形を生じないようにすることができる。【００１４】  また、例えば図６に示すように、任意の隙間を逆ハの字形状に手先で大きく分け開いて差立て物Ａを差込み隙間Ｓいっぱいに差し立てした際においても、倒れ止め５を囲み板の外側に張出すように設けて、弾発力のある囲み板が外開きに拡開することにより生じる左右の異なるモーメント作用による倒れを抑えることができる。【００１５】  これらにより、数百枚の書類等を穴開け無しで、１枚単位で抜き差し自在に差立て整理ができるので、ファイルの綴じ込みが不要になる。また、穴開け綴じ込やファイルが困難なクリアホルダー入りの書類や、封筒入りの書類や、パンフレット類や、カタログ類などの書類を抜き差し自在に差立て整理できる。そしてこれらにより、書類の整理が容易にでき事務の省力化が容易にできる物品類の差立て収納器具を提供することができる。
【発明を実施するための最良の形態】
【００１６】  つぎに、本発明の物品類の差立て収納器具の実施例について図面をもとに説明する。先ず筒状の輪１は、変形可能な弾発力のある細長薄板の樹脂板を円形に丸めて筒状の輪としたものが好ましい。そして、文書などのシート状物を１枚単位で抜き差し自在に差立てする場合の弾発力については、例えば図５に示すように、差立てした差立て物Ａの厚みの１枚単位の押圧で筒状の輪１が内方向に自動的に凹み変形するように、材質、弾力、板厚、板幅等を調整したものが望ましい。【００１７】  また、外周面囲み板２ａ，２ｂの弾発力については、変形可能な弾発力のある樹脂板または金属板をもって構成し、例えば文書などのシート状物を１枚単位で抜き差し自在に差立てする場合の上下方向の縦方向および長手方向の横方向が、差立てした差立て物の厚みの押圧または手先の外力で外側に撓って拡開できるように材質、弾力、板厚、板幅等を調整したものが好ましい。そして、例えば図６に示すように、書類などのシート状物類を容易に差し込むことや、抜き取りすることや、任意の隙間を分け開いて任意のページを見開き状態で見ることなどが容易にできる弾発力をもつように調整したものが好ましい。【００１８】  また、端面囲み板４を外周面囲み板２ａ，２ｂの両端部に設けて外周面囲み板２ａ，２ｂと結合することによって、外周面囲み板２ａ，２ｂの両端部においては例えば図６に示すような外側に逆ハの字形状に拡開する拡開作用が拘束される形となるが、向い合う端面囲み板４の間の長手方向においての弾力による外方向の孕みおよび撓りにより拡開作用ができるものが好ましい。【００１９】  また、外周面囲み板２ａ，２ｂおよび底板３については、一体成型が可能な材質、弾力、板厚等をもつものが好ましい。【００２０】  また、外周面囲み板２ａ，２ｂ内に収まる筒状の輪１の両脇の接触については、両脇が軽く接触する程度の収まりとしたものが好ましい。また、筒状の輪１の下面の取り付けについては、小片板を介して接着剤で取付けしたものが好ましい。【００２１】  また、筒状の輪１の略円形断面側と向い合う端面囲み板４については、外周面囲み板２ａ，２ｂおよび底板３と同じ材質、弾力、板厚等のもので構成し一体成型の可能なものが好ましい。【００２２】  また、倒れ止め５については、外周面囲み板２ａ，２ｂが差立て物の厚みや重さや大きさなどにより外開きに拡開した際に、左右の異なる重心移動により生ずるモーメント作用による倒れに対応した強度と寸法を持つ板材で構成する張出し材としたものが好ましい。また、倒れ止め５の取付けについては、例えば図８に示すように、底板３に細長板を取付けしたもの、または、外周面囲み板２ａ，２ｂの下部の側面にＬ形の小片材を取付けしたものなどが好ましい。【００２３】  また、端面囲み板４の端面開口部Ｋ１については、端面開口の機能および外周面囲み板２ａ，２ｂおよび底板３の補強の機能をもつように、端面囲み板４の両脇部および下部に耳を残して開口した切取りとしたものが好ましい。また、外周面囲み板２ａ，２ｂより長さの長い大判の差立て物を食み出して差立てできるように開口した切取りとしたものが好ましい。【００２４】  また、外周面囲み板２ａ，２ｂの側面切抜き部Ｋ２については、外周面囲み板２ａ，２ｂの弾発力を調整する機能およびデザイン性の機能を持つものが好ましい。
【図面の簡単な説明】
【００２５】
【図１】請求項１記載の物品類の差立て収納器具の斜視図である。
【図２】請求項１乃至３記載の物品類の差立て収納器具の斜視図である。
【図３】請求項１乃至２および４記載の物品類の差立て収納器具の斜視図である。
【図４】外周面囲み板２ａ，２ｂが外開きに拡開する状態および筒状の輪１が種々の凹み変形をする状態を示す正面図および断面図である。
【図５】差込みスペースＳに差立て物を差し立てした際に、筒状の輪１が自動的に内側方向に凹み変形すると共に、両脇の外周面囲み板２ａ，２ｂの上方が自動的に外開きに拡開する状態を示す正面図および断面図である。
【図６】図５の状態から、任意の隙間に手先を当てて分け開らき、任意のページに書類などを差し込むことや、抜き取りすることや、任意のページを見開き状態で見ることが容易にできる状態を示す正面図および断面図である。
【図７】図５の状態から、筒状の輪１の中間部の膨らみ部を更に内側方向に逆瓢箪形断面状に凹ませると共に、両脇の外周面囲み板２ａ，２ｂの上方を更に外側に拡開するように差立てることによって、差込みスペースＳいっぱいに差立て物を差し立てしたうえに更に差し立てして差立て量を差し増しすることができる状態を示す正面図および断面図である。
【図８】倒れ止め５を底板３または外周面囲み板２ａ，２ｂの下部の側面に取付けした状態を示す断面図である。
【図９】筒状の輪を備えた従来の差立て収納器具においては、弾発力のある筒状の輪のみが内側方向に凹み変形し、両脇の囲み板については外側に拡開しない構造になっているために、差込みスペースいっぱいに差し立てした際に、差立て物同士の隙間が密着状態となり任意の隙間を開く作用などができない状態および筒状の輪が塑性変形を生じてしまう状態を示す正面図である。
【符号の説明】
【００２６】１  筒状の輪
２ａ  筒状の輪の両脇を囲む外周面囲み板の一方側
２ｂ  筒状の輪の両脇を囲む外周面囲み板の対面側
３  底板
４  筒状の輪の楕円形断面側と向い合う端面囲み板
５  倒れ止め
Ｓ  筒状の輪の両脇の差込み隙間
Ｌ０  外周面囲み板の下部の開き寸法及び従来の差立て収納器具の下部の開き寸法
Ｌ１  外周面囲み板の上部の開き寸法及び従来の差立て収納器具の上部の開き寸法
Ｌ２  隙間Ｓいっぱいに差立てした際に外周面囲み板の上方が外側に拡開する開き寸法
Ｌ３  上方を手先で弾発力いっぱいに押し開いた際の外周面囲み板の上方の開き寸法
Ｌ４  隙間Ｓいっぱいの差立てから更に差立てした際の外周面囲み板の上方の開き寸法
Ａ  差立て物
Ｋ１  端面囲み板の端面開口部
Ｋ２  外周面囲み板の側面切抜き部
２０ａ  従来の差立て収納器具においての筒状の輪の両脇を囲む囲み板の一方側
２０ｂ  従来の差立て収納器具においての筒状の輪の両脇を囲む囲み板の対面側
【図１】
2014104754.tif 000003
【図２】
2014104754.tif 000004
【図３】
2014104754.tif 000005
【図４】
2014104754.tif 000006
【図５】
2014104754.tif 000007
【図６】
2014104754.tif 000008
【図７】
2014104754.tif 000009
【図８】
2014104754.tif 000010
【図９】
2014104754.tif 000011
【手続補正書】
【提出日】平成25年4月20日(2013.4.20)
【手続補正１】
【補正対象書類名】特許請求の範囲
【補正対象項目名】全文
【補正方法】変更
【補正の内容】
【特許請求の範囲】
【請求項１】
書類およびシート状物類を差立て収納する収納器具であって、弾発力のある部材を円形断面の筒状に形成した筒状の輪（１）と、該筒状の輪（１）の外周面の両脇を囲む弾発力のある外周面囲み板（２ａ，２ｂ）と、前記筒状の輪（１）を載置し固定する底板（３）とから成り、前記筒状の輪（１）の外周面と前記外周面囲み板（２ａ，２ｂ）との間の差込み隙間（Ｓ）に差立てした差立て物の厚さによる押圧および差立て物の押圧または拡開により、弾発力のある前記筒状の輪（１）が輪の縦中心軸方向に凹み変形すること、および弾発力のある前記外周面囲み板（２ａ，２ｂ）が弾性により拡開する物品類の差立て収納器具に、前記外周面囲み板（２ａ，２ｂ）が拡開する際の左右の異なるモーメント作用による倒れを抑えるための倒れ止め（５）を前記外周面囲み板（２ａ，２ｂ）または前記底板（３）の外側に張出すように設けたことを特徴とする物品類の差立て収納器具。
【請求項２】
前記外周面囲み板（２ａ，２ｂ）の両端部の少なくともいずれかの一方に、前記筒状の輪（１）の円形断面側と向い合う端面囲み板（４）を設けたことを特徴とする請求項１記載の物品類の差立て収納器具。
【請求項３】
前記端面囲み板（４）の少なくともいずれかの一方に、端面囲み板４の両脇部および下部に耳を残して開口した切取りとした端面開口の機能および補強リブの機能をもつ端面開口部（Ｋ１）を形成したことを特徴とする請求項２記載の物品類の差立て収納器具。